(57)【要約】【課題】  本発明は、より安価に画像ムラの発生を防止することができる画像形成装置の提供を目的とする。【解決手段】  像担持体１と、複数のＬＥＤ素子をライン状に配置したＬＥＤヘッド３１を有し、前記像担持体に静電潜像を形成する画像書込み装置３と、形成された静電潜像を現像し、トナー像を形成する現像装置４と、形成されたトナー像を転写紙に転写する転写装置５と、前記像担持体１表面の面振れを検知する検知手段２０と、該検知手段２０が検知した値から補正値を算出する演算手段２１と、前記演算手段２１が算出した補正値によって、前記ＬＥＤヘッド３１の光量を補正する補正制御手段２２と、を有することを特徴としている。【選択図】図１
2005186608.tif 000002
【特許請求の範囲】
【請求項１】
像担持体と、
複数のＬＥＤ素子をライン状に配置したＬＥＤヘッドを有し、前記像担持体に静電潜像を形成する画像書込み装置と、
前記像担持体と前記ＬＥＤヘッドの距離情報に基づいてＬＥＤヘッドの光量を補正する補正値を算出する演算手段と、
前記補正値によって前記ＬＥＤヘッドの光量を補正する補正制御手段と、
を有することを特徴とする画像形成装置。
【請求項２】
前記像担持体と前記ＬＥＤヘッドの距離情報を記憶する記憶手段を有することを特徴とする請求項１記載の画像形成装置。
【請求項３】
前記像担持体と前記ＬＥＤヘッドの距離を測定する検知手段を有することを特徴とする請求項１又は２記載の画像形成装置。
【請求項４】
前記像担持体は、基準位置を示す基準位置マークを有し、
前記画像形成装置は、前期基準位置マークを検知する基準位置検知手段を有し、
前記基準位置検知手段が基準位置マークの検知に基づき、前記補正制御手段は、前記補正値を基にＬＥＤヘッドの光量を補正することを特徴とする請求項１から３のいずれかに記載の画像形成装置。
【請求項５】
前記演算手段は、前記像担持体と前記ＬＥＤヘッドの距離に応じた補正値を示す補正値テーブルを有することを特徴とする請求項１から４のいずれかに記載の画像形成装置。
【請求項６】
像担持体と、
複数のＬＥＤ素子をライン状に配置したＬＥＤヘッドを有し、前記像担持体に静電潜像を形成する画像書込み装置と、
形成された静電潜像を現像し、トナー像を形成する現像装置と、
形成されたトナー像を転写紙に転写する転写装置と、
前記像担持体表面の面振れを検知する検知手段と、
該検知手段が検知した値から補正値を算出する演算手段と、
前記演算手段が算出した補正値によって、前記ＬＥＤヘッドの光量を補正する補正制御手段と、を有することを特徴とする画像形成装置。
【請求項７】
前記像担持体は、基準位置を示す基準位置マークを有し、
前記画像形成装置は、前記基準位置マークを検知する基準位置検知手段を有し、
前記演算手段は、前記基準位置検知手段が基準位置を検知してから像担持体が一周するまでの間、前記検知手段が検知した値を基に補正値テーブルを作成し、
前記補正制御手段は、前記補正値テーブルの補正値を基にＬＥＤヘッドの光量を補正することを特徴とする請求項６記載の画像形成装置。
【請求項８】
前記補正制御手段は、補正動作を所定のライン毎に行うことを特徴とする請求項６又は７記載の画像形成装置。
【請求項９】
前記画像形成装置は操作部を有し、
操作部から、補正動作を行うタイミングを設定することを特徴とする請求項６から８のいずれかに記載の画像形成装置。
【請求項１０】
像担持体と、
複数のＬＥＤ素子をライン状に配置したＬＥＤヘッドを有し、前記像担持体に静電潜像を形成する画像書込み装置と、
形成された静電潜像を現像し、トナー像を形成する現像装置と、
形成されたトナー像を転写紙に転写する転写装置と、
前記像担持体表面の面振れを検知する複数の検知手段と、
該検知手段が検知した値から補正値を算出する演算手段と、
前記演算手段が算出した補正値によって、前記ＬＥＤヘッドの光量を補正する補正制御手段と、
を有することを特徴とする画像形成装置。
【請求項１１】
前記複数の検知手段は、主走査方向に並んで設けられていることを特徴とする請求項１１０記載の画像形成装置。
【請求項１２】
前記複数の検知手段は、前記像担持体の両端近傍に各々設けられていることを特徴とする請求項１１記載の画像形成装置。
【請求項１３】
前記演算手段は、前記複数の検知手段の検出結果を用いて、主走査方向における前記ＬＥＤヘッドの補正値を求めることを特徴とする請求項１０から１２のいずれかに記載の画像形成装置。
【請求項１４】
前記像担持体は、基準位置を示す基準位置マークを有し、
前記画像形成装置は、前期基準位置マークを検知する基準位置検知手段を有し、
前記演算手段は、前記基準位置検知手段が基準位置を検知してから像担持体が一周するまでの間、前記複数の検知手段が検知した値を基に補正値テーブルを作成し、
前記補正制御手段は、前記補正値テーブルの補正値を基にＬＥＤヘッドの光量を補正することを特徴とする請求項１０から１３のいずれかに記載の画像形成装置。
【請求項１５】
ＬＥＤ素子をライン状に配置したＬＥＤヘッドを用いて像担持体に書込みを行う画像形成方法であって、
前記像担持体の面ブレ情報を取得し、
前記取得した面ブレ情報に基づき、前記ＬＥＤヘッドの光量を補正することを特徴とする画像形成方法。
【発明の詳細な説明】
【技術分野】
【０００１】
本発明は、副走査方向の画像ムラを防止することができる画像形成装置及び画像形成方法に関する。
【背景技術】
【０００２】
画像形成装置の画像書込み装置としては、レーザ光の光源とポリゴンミラー等の回転多面鏡を有するレーザ光走査型のものと、複数のＬＥＤ素子をライン状に並べたＬＥＤヘッドを用いたリニアアレイ光源型が知られている。リニアアレイ光源型の画像書込み装置は像担持体の近くに配置することができるため、画像形成装置全体の小型化が可能となっている。
【０００３】
リニアアレイ光源型の画像書込み装置としてＬＥＤヘッドを用いる場合、各ＬＥＤ素子の光量やドット径を一定にするための補正が行われる。一方、像担持体は駆動装置によって回転するが、像担持体が真円からずれていたり、像担持体の回転時の振動等といった原因で、像担持体の表面が上下に振動する面振れという現象が発生する。面振れが発生すると、像担持体の表面とＬＥＤヘッドとの間の距離は一定にはならないため、像担持体の表面に照射される光の光量やドット径が一定にならず、画像ムラ等の異常画像の原因となる。
【０００４】
それを防止するために、像担持体の回転角とＬＥＤヘッドとの距離を示した情報を記録した記憶装置とＬＥＤヘッドを駆動する駆動回路とを有し、像担持体の回転角に対応してＬＥＤヘッドを駆動するものがある（例えば、特許文献１参照）。これによって、ＬＥＤヘッドと像担持体との間の距離を一定にすることができる。
【特許文献１】特開平６−１９８９５６号公報（図１、段落０００６以降）
【発明の開示】
【発明が解決しようとする課題】
【０００５】
しかし、特許文献１はＬＥＤヘッドを駆動するための駆動回路によって、ＬＥＤヘッドと像担持体との間の距離を一定に保つ制御を行うため、機械的に複雑な構成が必要となり、その分精度を上げることは困難であり、記録速度が高速となった場合の追従性も充分とはいえない。
【０００６】
そこで、本発明は、より安価に画像ムラの発生を防止することができる画像形成装置及び画像形成方法の提供を目的とする。
【課題を解決するための手段】
【０００７】
上記目的を達成するために、請求項１記載の画像形成装置は、像担持体と、複数のＬＥＤ素子をライン状に配置したＬＥＤヘッドを有し、前記像担持体に静電潜像を形成する画像書込み装置と、前記像担持体と前記ＬＥＤヘッドの距離情報に基づいてＬＥＤヘッドの光量を補正する補正値を算出する演算手段と、前記補正値によって前記ＬＥＤヘッドの光量を補正する補正制御手段と、を有することを特徴としている。
【０００８】
請求項２記載の画像形成装置は、前記像担持体と前記ＬＥＤヘッドの距離情報を記憶する記憶手段を有することを特徴としている。
【０００９】
請求項３記載の画像形成装置は、前記像担持体と前記ＬＥＤヘッドの距離を測定する検知手段を有することを特徴としている。
【００１０】
請求項４記載の画像形成装置は、前記像担持体は、基準位置を示す基準位置マークを有し、前記画像形成装置は、前期基準位置マークを検知する基準位置検知手段を有し、前記基準位置検知手段が基準位置マークの検知に基づき、前記補正制御手段は、前記補正値を基にＬＥＤヘッドの光量を補正することを特徴としている。
【００１１】
請求項５記載の画像形成装置は、前記演算手段は、前記像担持体と前記ＬＥＤヘッドの距離に応じた補正値を示す補正値テーブルを有することを特徴としている。
【００１２】
請求項６に記載の画像形成装置は、像担持体と、複数のＬＥＤ素子をライン状に配置したＬＥＤヘッドを有し、前記像担持体に静電潜像を形成する画像書込み装置と、形成された静電潜像を現像し、トナー像を形成する現像装置と、形成されたトナー像を転写紙に転写する転写装置と、前記像担持体表面の面振れを検知する検知手段と、該検知手段が検知した値から補正値を算出する演算手段と、前記演算手段が算出した補正値によって、前記ＬＥＤヘッドの光量を補正する補正制御手段と、を有することを特徴としている。
【００１３】
請求項７に記載の画像形成装置は、前記像担持体は基準位置を示す基準位置マークを有し、前記画像形成装置は、前記基準位置マークを検知する基準位置検知手段を有し、前記演算手段は、前記基準位置検知手段が基準位置を検知してから像担持体が一周するまでの間、前記検知手段が検知した値を基に補正値テーブルを作成し、前記補正制御手段は、前記補正値テーブルの補正値を基にＬＥＤヘッドの光量を補正することを特徴としている。
【００１４】
請求項８に記載の画像形成装置は、前記補正制御手段は、補正動作を所定のライン毎に行うことを特徴としている。
【００１５】
請求項９に記載の画像形成装置は、前記画像形成装置は操作部を有し、前記補正制御手段は、補正動作を行うタイミングを前記操作部から設定することを特徴としている。
【００１６】
請求項１０記載の画像形成装置は、像担持体と、複数のＬＥＤ素子をライン状に配置したＬＥＤヘッドを有し、前記像担持体に静電潜像を形成する画像書込み装置と、形成された静電潜像を現像し、トナー像を形成する現像装置と、形成されたトナー像を転写紙に転写する転写装置と、前記像担持体表面の面振れを検知する複数の検知手段と、該検知手段が検知した値から補正値を算出する演算手段と、前記演算手段が算出した補正値によって、前記ＬＥＤヘッドの光量を補正する補正制御手段と、を有することを特徴としている。
【００１７】
請求項１１記載の画像形成装置は、前記複数の検知手段は、主走査方向に並んで設けられていることを特徴としている。
【００１８】
請求項１２記載の画像形成装置は、前記複数の検知手段は、前記像担持体の両端近傍に各々設けられていることを特徴としている。
【００１９】
請求項１３記載の画像形成装置は、前記演算手段は、前記複数の検知手段の検出結果を用いて、主走査方向における前記ＬＥＤヘッドの補正値を求めることを特徴としている。
【００２０】
請求項１４記載の画像形成装置は、前記像担持体は、基準位置を示す基準位置マークを有し、前記画像形成装置は、前期基準位置マークを検知する基準位置検知手段を有し、前記演算手段は、前記基準位置検知手段が基準位置を検知してから像担持体が一周するまでの間、前記複数の検知手段が検知した値を基に補正値テーブルを作成し、前記補正制御手段は、前記補正値テーブルの補正値を基にＬＥＤヘッドの光量を補正することを特徴としている。
【００２１】
請求項１５記載の画像形成方法は、ＬＥＤ素子をライン状に配置したＬＥＤヘッドを用いて像担持体に書込みを行う画像形成方法であって、前記像担持体の面ブレ情報を取得し、前記取得した面ブレ情報に基づき、前記ＬＥＤヘッドの光量を補正することを特徴としている。
【発明の効果】
【００２２】
請求項１記載の画像形成装置は、像担持体と、画像書込み装置と、演算手段と、補正制御手段とを有している。画像書込み装置は、複数のＬＥＤ素子をライン状に配置したＬＥＤヘッドを有しており、演算手段は、像担持体と前記ＬＥＤヘッドの距離情報に基づいてＬＥＤヘッドの光量を補正する補正値を算出する。補正制御手段は、演算手段が算出した補正値によって前記ＬＥＤヘッドの光量を補正する。これによって、像担持体へ照射される光量が一定になり、画像ムラを防止できる。
【００２３】
請求項２記載の画像形成装置は、像担持体と前記ＬＥＤヘッドの距離情報を記憶する記憶手段を有している。これによって演算手段が同じ計算を何度も繰り返すことを防ぐことができる。
【００２４】
請求項３記載の画像形成装置は、像担持体と前記ＬＥＤヘッドの距離を測定する検知手段を有している。これによって像担持体とＬＥＤヘッドとの距離を正確に測定することができるので、像担持体に照射されるＬＥＤヘッドの光量を一定に保つことができるようになる。
【００２５】
請求項４記載の画像形成装置は、像担持体に基準位置を示す基準位置マークが設けられている。基準位置検知手段は基準位置マークを検知し、基準位置検知手段による基準位置マークの検知に基づき、補正制御手段が補正値を基にＬＥＤヘッドの光量を補正する。これによって、像担持体の周期的な面振れに同期して光量補正が可能となり、画像ムラを防止できる。
【００２６】
請求項５記載の画像形成装置は、演算手段は、前記像担持体と前記ＬＥＤヘッドの距離に応じた補正値を示す補正値テーブルを有している。これによって、同じ計算を何度も繰り返すことなくＬＥＤヘッドの光量を補正することができる。
請求項６記載の画像形成装置は、像担持体・画像書込み装置・現像装置・転写装置・検知手段・演算手段・補正制御手段を有している。検知手段は像担持体の表面の面振れを光量により検知する。演算手段は検知手段が検知した像担持体表面の面振れの大きさからＬＥＤヘッドの光量の補正値を算出し、補正制御手段は算出された補正値によってＬＥＤヘッドの光量を補正する。これによって、像担持体表面に当る光の光量が一定となり、画像ムラの防止が可能となる。
【００２７】
請求項７記載の画像形成装置は、前記像担持体に基準位置を示す基準位置マークが設けられており、基準位置検知手段が基準位置マークを検知する。演算手段は、画像形成処理が行われていない時に、基準位置検知手段が基準位置を検知してから像担持体が一周するまでの間、検知手段が検知した像担持体の面振れを基に補正値テーブルを作成し、補正制御手段は、画像形成時に補正値テーブルの補正値を参照してＬＥＤヘッドの光量を補正する。これによって、像担持体の周期的な面振れに同期して光量補正が可能となり、画像ムラを防止できる。
【００２８】
請求項８記載の画像形成装置は、補正制御手段は、補正動作を副走査方向の、所定のライン毎に行う。これによってより高速な光量補正が可能となる。
【００２９】
請求項９記載の画像形成装置は、画像形成装置は操作部を有しており、操作部から補正動作を行うタイミングを設定する。これによってユーザが所望する精度で光量補正が可能となる。
【００３０】
請求項１０記載の画像形成装置は、像担持体と、画像書込み装置と、現像装置と、転写装置と、検知手段と、演算手段と、補正制御手段を有している。画像書込み装置は、複数のＬＥＤ素子をライン状に配置したＬＥＤヘッドを有しており、現像装置は、画像書込み装置によって形成された静電潜像を現像しトナー像を形成する。転写装置は、形成されたトナー像を転写紙に転写するものであり、検知手段は、像担持体表面の面振れを検知するもので、複数設けられている。演算手段は、検知手段が検知した値から補正値を算出し、補正制御手段は、演算手段が算出した補正値によって、前記ＬＥＤヘッドの光量を補正する。これによって、像担持体表面に当る光の光量が一定となり、画像ムラの防止が可能となる。
【００３１】
請求項１１記載の画像形成装置は、複数の検知手段は、主走査方向に並んで設けられている。このため、主走査方向の面ブレを検知可能となり、主走査方向１ライン内の画像ムラを防止することができる。
【００３２】
請求項１２記載の画像形成装置は、複数の検知手段は、前記像担持体の両端近傍に各々設けられている。これによって、ムラのない画像形成が可能となる。
【００３３】
請求項１３記載の画像形成装置は、演算手段は、前記複数の検知手段の検出結果を用いて、主走査方向における前記ＬＥＤヘッドの補正値を求めるものとなっている。これによって、主走査方向の画像ムラを防止できる。
【００３４】
請求項１４記載の画像形成装置は、像担持体に基準位置を示す基準位置マークを設けてあり、基準位置検知手段によって、基準位置マークを検知するようになっている。さらに、演算手段は、基準位置検知手段が基準位置を検知してから像担持体が一周するまでの間、前記複数の検知手段が検知した値を基に補正値テーブルを作成し、補正制御手段は、前記補正値テーブルの補正値を基にＬＥＤヘッドの光量を補正する。これによって、像担持体の周期的な面振れに同期して光量補正が可能となり、画像ムラを防止できる。
【００３５】
請求項１５記載の画像形成方法は、ＬＥＤ素子をライン状に配置したＬＥＤヘッドを用いて像担持体に書込みを行う画像形成方法であって、像担持体の面ブレ情報を取得し、前記取得した面ブレ情報に基づき、前記ＬＥＤヘッドの光量を補正することとなっている。これによって、面ブレが原因の画像の歪み及び画像ムラを防止することができる。
【発明を実施するための最良の形態】
【００３６】
次に、本発明の画像形成装置を、図面を基に説明する。図１は、本発明の画像形成装置の構成図である。本発明の画像形成装置は、回転体であるドラム状の像担持体１の周囲に、帯電装置２、画像書込み装置３、現像装置４、転写装置５及びクリーニング装置６を配置してある。また、画像形成装置の上部には、原稿読取装置７と自動原稿送り装置８がある。自動原稿送り装置８のトレイ上に載置された原稿は、１枚ずつ原稿読取装置７に搬送される。原稿読取装置７は搬送されてくる原稿に、第１ミラーユニット７ａに搭載された光源によって光をあて、その反射光を第１ミラーユニット７ａ及び第２ミラーユニット７ｂからレンズユニット７ｃを介してＣＣＤ７ｄ上に結像する。ＣＣＤ７ｄは結ばれた像を電気的な信号に変換し、画像形成装置中の図示しない記憶装置に、電気的な信号等として記憶される。
【００３７】
画像形成装置は画像を一定量記憶したところで、帯電装置２によって像担持体１の表面に一様に帯電を行う。そして、画像書込み装置３によって記憶装置に記憶されている電気的信号等に基づく露光走査を行って静電潜像を形成し、現像装置４により現像して像担持体１の表面にトナー像を形成する。
【００３８】
一方、画像形成装置の中段に配置された給紙カセット９ａ，９ｂ、下段に配置された大容量給紙カセット９ｃ及び、側方に配置された手差し給紙トレイ９ｄ等から給紙された転写紙Ｓは、レジストローラ１０を経由して転写位置へ送られる。転写位置において転写装置５により前記トナー像が転写紙Ｓ上に転写され、引き続き定着装置１１により加熱定着され、排紙ローラ１２ａにより排出される。
【００３９】
転写紙Ｓの両面に画像形成を行う場合には、定着装置１１により加熱定着された転写紙Ｓを搬送路切替板１２ｂにより通常の排紙通路から分岐し、反転搬送部１２ｃにおいてスイッチバックして表裏反転した後、再び転写装置５上を通過して転写紙Ｓの裏面に画像を形成し、定着装置１１を経て、排紙ローラ１２ａにより装置外に排出される。一方、像担持体１の画像処理後の表面は、クリーニング装置６により表面に残留している現像剤が除去され、次の画像形成に備える。
【００４０】
画像書込み装置３は、複数のＬＥＤ素子をアレイ状に並べたＬＥＤアレイと、複数のレンズからなるレンズアレイとを有するＬＥＤヘッド３１を有している。レンズアレイのレンズと、ＬＥＤアレイのＬＥＤ素子とは一対一で対応しており、ＬＥＤ素子から発せられた光はレンズを透過して像担持体１に結像し、像担持体１に静電潜像を形成するようになっている。ＬＥＤヘッド３１内の各ＬＥＤ素子は光量が同一になるように、予め駆動電流又は発光時間を補正してある。
【００４１】
図２は本発明のブロック図である。像担持体１は、その円筒形表面のうち両端が画像形成を行わない非画像形成領域１ａであり、それ以外の部分、すなわち図２のハッチング部分が画像形成領域１ｂとなっている。画像形成領域１ｂの上にはＬＥＤヘッド３１が設置されている。ＬＥＤヘッド３１の幅は、像担持体１の画像形成領域１ｂと同じかわずかに小さい程度である。また、像担持体１の両端にある非画像形成領域１ａのうち一方には、検知手段２０が設けられている。検知手段２０は発光素子２０ａと受光素子２０ｂとから構成されており、像担持体１の非画像形成領域１ａ表面に発光素子２０ａが光を照射し、非画像形成領域１ａから反射した光を受光素子２０ｂで受光する。受光素子２０ｂは、非画像形成領域１ａで反射した光の光量によって検知する値が変わる。これによって像担持体１の表面と検知手段２０との間の距離を算出することができる。この距離の変化が像担持体１の面振れの程度を表している。
【００４２】
演算手段２１は、検知手段２０が検知した値を基にして像担持体１の面振れを算出し、そこからＬＥＤヘッド３１の光量を補正する値を算出する。光量の補正値は、電流値又はＬＥＤヘッド３１の点灯時間等を用いることができる。補正制御手段２２は、演算手段２１が算出した補正値を用いてＬＥＤヘッド３１の光量補正を行う。
【００４３】
画像の種類によっては、形成される静電潜像に対して多少の像の歪みは許容される場合がある。例えば、ドキュメント等の文字主体の画像等がそうである。そのような場合、演算手段２１は、２ライン又は３ライン毎等、一定間隔毎に補正値を算出するように、補正のタイミングを変更することも可能である。
【００４４】
操作部２３は、画像形成枚数等の入力を行うハードキー部と、設定内容を表示する表示部とからなり、画像形成装置の上部に配置されている。表示部にはタッチパネルが設けられており、画像形成モード等の設定が可能となっている。上記の補正タイミングは、操作部２３のハードキー部から数値として入力、又は表示部に表示されたメニューから選択する等の方法で入力する。操作者が入力した値は、演算手段２１に渡され、演算手段２１は、受け取った値に従って補正値の算出を行う。
【００４５】
図３は、本発明の第２実施例を示すブロック図である。図２の実施例では、画像形成処理を実行するたびに、検知手段２０が検知した値を用いて演算手段２１が補正値を算出し、補正制御手段２２がＬＥＤヘッド３１の補正を行うという処理になっており、不規則な振動に対する補正としては向いている。一方、像担持体１が真円からずれているといった周期的な変化の場合には、同じ計算を何度も繰り返すこととなる。このような繰り返しによる計算時間を発生させないため、図３の実施例では、画像形成処理を行っていない時に、あらかじめ補正値を算出しておき、画像形成処理時にはあらかじめ算出した補正値を用いてＬＥＤヘッド３１の光量を補正する。
【００４６】
像担持体１の一端には、補正値の算出タイミング及び画像形成時の補正制御の始点を示す基準位置マーク１ｃが設けられている。基準位置マーク１ｃは図３では黒い直線となっているが、特にそのような形態に限定するものではない。
【００４７】
検知手段２０の横には、基準位置マーク１ｃを検知するための基準位置検知手段２４が設けられている。補正値テーブル２５は演算手段２１が算出した補正値を記憶するものであり、図示しない記憶装置に領域が確保されている。
【００４８】
操作部２３は、図２の実施例と同様に、補正タイミングを設定する時に使用する。図３に示すように、設定情報を演算手段２１へ渡すと、演算手段２１が一定間隔毎に補正値を算出する。これは、設定情報を補正制御手段２２へ渡して、補正制御手段２２は補正値テーブル２５から一定間隔毎に補正値を取得するようにすることもできる。
【００４９】
演算手段２１は、画像形成装置に電源が投入された直後等、画像形成処理を行っていない時に補正値の算出を行う。画像形成処理を行っていない時に像担持体１を回転させる。演算手段２１は基準位置検知手段２４が基準位置マーク１ｃを検知してから、検知手段２０による検知を行う。演算手段２１が算出した補正値は、補正値テーブル２５に格納される。検知手段２０による検知と演算手段２１の補正値の算出及び、補正値テーブル２５への格納は、基準位置マーク１ｃが１周して再び基準位置検知手段２４に検知されるまでの間行われる。
【００５０】
図４は補正値テーブルのレイアウトを示す図である。補正値テーブル２５は、基準位置マーク１ｃを基準位置検知手段２４が検知してからの経過時間と、その時の補正値という２つの項目から構成されている。補正値テーブル２５には、基準位置から像担持体１が１周する間の補正値が格納されている。
【００５１】
なお、図４では補正値データを基準位置マーク１ｃを検知してからの時間で格納しているが、時間の変わりに基準位置マーク１ｃを１ライン目として、ライン毎の補正値を格納するようにしてもよい。
【００５２】
図３に戻り、画像形成処理を行う時は次のようになる。まず、補正制御手段２２は、像担持体１の基準位置マーク１ｃを基準位置検知手段２４が検知した時を基準として、補正値テーブル２５に格納された補正値を読み出し、その補正値でＬＥＤヘッド３１の光量を補正する。
【００５３】
次に第３の実施例を用いて説明する。
本実施の形態では、面ブレに応じたＬＥＤヘッド３１と像担持体１との距離情報をテーブルとして予め用意しておく。このテーブルを用い、画像記録時に補正値を算出、補正する。
【００５４】
以下、図５を用いて説明する。図５は第３実施例を示すブロック図である。図５は、第２の実施例を示す図３を一部変形したものとなっている。相違点は、検出手段を設けず、使用する補正テーブルを製品出荷前等に予め作成しておくことである。この構成で、画像形成時に第２の実施例と同様にＬＥＤヘッド３１の光量補正を行う。補正テーブルとしては、第２の実施例と同様、図４のものを用い、基準位置１ｃを検出して補正を行う。なお、図４の補正テーブルでは、距離情報を基にした補正値を記載しているが、ＬＥＤヘッド３１と像担持体１の距離を補正値として記載しておくことでもよい。この距離情報から演算手段２１を用いてＬＥＤヘッド３１の光量の補正値を求め、補正制御手段２２を介して補正を行う。
【００５５】
続いて、第４の実施例を説明する。
本実施例では、検知手段を主走査方向に複数設けることにより、主走査方向の面振れを補正可能としている。図６を用いて、詳細に説明する。本実施例では、検知手段を主走査方向に２０及び２０１の２個設けている。検知手段２０１は、検知手段２０と同様に、発光素子２０１ａと受光素子２０１ｂとから構成されている。これら複数の検知手段２０，２０１は像担持体１の両端近傍に各々設けることが好ましい。この構成により、副走査方向（像担持体の移動方向）に加え、主走査方向で生じる面振れを検出し補正する。面振れの検出並びに補正に関しては、基本的に実施例１乃至２の手法を用いることができる。なお、像担持体１の各位置での面振れに関しては、２つの検出手段の検出値より、直線近似等を用いて算出することができる。演算手段２１にてこの結果を用い、ＬＥＤヘッド３１の主走査方向に並んだ個々のＬＥＤ素子について光量補正値を算出し、補正制御手段にて補正を行う。また、前記演算手段は、前記複数の検知手段２０，２０１の検出結果を用いて、主走査方向における前記ＬＥＤヘッド３１の補正値を求める。
【００５６】
なお、上記実施例ではモノクロ画像形成装置であったが、本発明はそれだけに限定するものではなく、カラー画像形成装置にも適用が可能である。
【図面の簡単な説明】
【００５７】
【図１】本発明の画像形成装置の構成図である。
【図２】本発明のブロック図である。
【図３】本発明の第２実施例を示すブロック図である。
【図４】補正値テーブルのレイアウトを示す図である。
【図５】本発明の第３実施例を示すブロック図である。
【図６】本発明の第４実施例を示すブロック図である。
【符号の説明】
【００５８】
１      像担持体
１ａ    非画像形成領域
１ｃ    基準位置マーク
４      現像装置
５      転写装置
２０    検知手段
２１    演算手段
２２    補正制御手段
２３    操作部
２４    基準位置検知手段
２５    補正値テーブル
３１    ＬＥＤヘッド
【図１】
2005186608.tif 000003
【図２】
2005186608.tif 000004
【図３】
2005186608.tif 000005
【図４】
2005186608.tif 000006
【図５】
2005186608.tif 000007
【図６】
2005186608.tif 000008